(57)【要約】【課題】１台の制御装置を用いて複数の撮影装置を操作し被写体を撮影することができ、また、１台の撮影装置で撮影した被写体の画像データを複数の制御装置で表示できるカメラシステムを提供することである。【解決手段】制御装置１２と撮影部５０を各々有する複数の撮影装置４０と制御装置１２と複数の撮影装置４０を接続する接続手段とを備え、制御装置１２は、複数の撮影装置４０の各々を識別する撮影装置識別データを含む撮影処理コマンドを複数の撮影装置４０に同時に送信し、撮影処理コマンドを受信した各撮影装置４０は、撮影装置識別データが自己を示すデータであるか否かを判定し、自己を示すデータであった場合に自己の撮影部５０を駆動し被写体を撮影し、撮影された被写体の画像データを制御装置１２に送信する。これにより、１台の制御装置を用いて複数の撮影装置を操作し被写体を撮影することができる。【選択図】図１
2005252568.tif 000002
【特許請求の範囲】
【請求項１】
制御装置と、
撮影部を各々有する複数の撮影装置と、
前記制御装置と前記複数の撮影装置を接続する接続手段と、
を備え、
前記制御装置は、前記複数の撮影装置の各々を識別する撮影装置識別データを含む撮影処理コマンドを前記複数の撮影装置に同時に送信し、
前記撮影処理コマンドを受信した各撮影装置は、前記撮影装置識別データが自己を示すデータであるか否かを判定し、自己を示すデータであった場合に、自己の前記撮影部を駆動し被写体を撮影し、撮影された被写体の画像データを前記制御装置に送信することを特徴とするカメラシステム。
【請求項２】
請求項１記載のカメラシステムにおいて、
前記制御装置は、前記複数の撮影装置に同時に送信する撮影処理コマンドとして、さらに同期データを含み、
前記撮影処理コマンドを受信した各撮影装置は、前記撮影装置識別データが自己を示すデータであるか否かを判定し、自己を示すデータであった場合に、前記同期データにより決定されるタイミングにより自己の前記撮影部を駆動することを特徴とするカメラシステム。
【請求項３】
請求項１又は２記載のカメラシステムにおいて、
前記接続手段が、同一の周波数を用いた無線手段であるときに、
前記複数の撮影装置のうち、一の撮影装置は、他の撮影装置が前記被写体の画像データを前記制御装置に送信中であるか否かを判定し、前記他の撮影装置が前記被写体の画像データを前記制御装置に送信中でなかった場合に、前記の一の撮影装置は、前記制御装置に前記被写体の画像データを送信することを特徴とするカメラシステム。
【請求項４】
請求項１乃至３のいずれか１項に記載のカメラシステムにおいて、
前記制御装置は、画像表示部を有し、
前記撮影装置から送信された前記被写体の画像データを前記制御装置が受信したときに、前記画像表示部で前記被写体の画像データに対応する画像を表示することを特徴とするカメラシステム。
【請求項５】
複数の制御装置と、
撮影部を有する撮影装置と、
前記複数の制御装置と前記撮影装置を接続する接続手段と、
を備え、
前記複数の制御装置は、撮影処理コマンドを前記撮影装置に送信し、
前記撮影処理コマンドを受信した前記撮影装置は、前記撮影処理コマンドに基づき、前記撮影部を駆動し被写体を撮影し、撮影された前記被写体の画像データを前記制御装置に送信することを特徴とするカメラシステム。
【請求項６】
請求項５記載のカメラシステムにおいて、
前記複数の制御装置は、各々表示部を有し、前記撮影装置から前記制御装置に送信された前記被写体の画像データに対応する画像を前記表示部に表示することを特徴とするカメラシステム。
【請求項７】
請求項５又は６記載のカメラシステムにおいて、
前記撮影処理コマンドは、制御装置の各々を識別し、前記表示部で前記被写体の画像データに対応する画像を表示させる制御装置の制御装置識別データを含み、
前記撮影装置は、前記制御装置識別データを前記被写体の画像データとともに前記複数の制御装置に送信し、
前記制御装置識別データを受信した各制御装置は、前記制御装置識別データが自己を示すデータであるか否かを判定し、自己を示すデータであった場合に、前記被写体の画像データに対応する画像を自己の前記表示部に表示することを特徴とするカメラシステム。
【請求項８】
請求項５乃至７のいずれか１項に記載のカメラシステムにおいて、
前記接続手段が、同一の周波数を用いた無線手段であるときに、
前記撮影装置から送信された前記被写体の画像データを前記複数の制御装置が受信することを特徴とするカメラシステム。
【請求項９】
請求項１又は５記載のカメラシステムにおいて、
前記接続手段が、無線手段又はインターネットによる接続手段であることを特徴とするカメラシステム。
【請求項１０】
請求項１乃至９のいずれか１項に記載のカメラシステムにおいて、
前記撮影装置及び前記制御装置のいずれか一つが少なくとも前記被写体の画像データを保存するためのメモリを有する
ことを特徴とするカメラシステム。
【請求項１１】
請求項１乃至１０のいずれか１項に記載のカメラシステムにおいて、
前記制御装置がシャッタを有する携帯可能なリモートコントローラとされ、前記シャッタが切られたときに、前記撮影処理コマンドが送信されることを特徴とするカメラシステム。
【請求項１２】
表示部を有する制御装置と、
撮影部を有する撮影装置と、
前記制御装置と前記撮影装置を接続する接続手段と、
を備え、
前記制御装置は、前記撮影処理コマンドを前記撮影装置に送信し、
前記撮影処理コマンドを受信した前記撮影装置は、前記撮影処理コマンドに基づき、前記撮影部を駆動し被写体を撮影し、撮影された前記被写体の画像データを前記制御装置に送信し、
送信された前記被写体の画像データを前記制御装置が受信し、前記被写体の画像データに対応する画像を前記表示部に表示することを特徴とするカメラシステム。
【請求項１３】
請求項１乃至１２のいずれか１項に記載のカメラシステムにおいて、
前記撮影装置と前記制御装置が一体化されていることを特徴とするカメラシステム。
【発明の詳細な説明】
【技術分野】
【０００１】
本発明は、制御装置と撮影装置を備えたカメラシステムであって、特に制御装置と撮影装置を接続手段で接続して、撮影装置で撮影された被写体の画像データに対応する画像を制御装置で表示することができるカメラシステムに関する。
【背景技術】
【０００２】
近年、携帯型のデジタルカメラが普及してきている。このデジタルカメラを用いれば、所望の場所で被写体を撮影し、電子的に記録し、その場で記録された被写体の画像データを確認することができる。
【０００３】
しかしながら、従来のデジタルカメラでは、被写体の撮影部と被写体の画像データに対応する画像の表示部が一体化されていたために、被写体を撮影したデジタルカメラ本体がなければ、その場で被写体の画像データに確認することができなかった。この問題に対しては、デジタルカメラ本体と別に、被写体の画像データを表示できる表示器を用意し、デジタルカメラで撮影された被写体の画像データを無線で表示機に送信し、前記表示機で表示させるという技術が知られていた（特許文献１）。
【０００４】
【特許文献１】特開２００１−１０３４０９号公報
【発明の開示】
【発明が解決しようとする課題】
【０００５】
しかしながら、上記特許文献１では、被写体を撮影するときは、デジタルカメラ本体に設けられているシャッタを用いて撮影するために、複数のデジタルカメラで被写体を同時に撮影する際は、デジタルカメラ毎に、シャッタを切る必要があった。
【０００６】
従って、本発明は、１台の制御装置を用いて複数の撮影装置を操作し、被写体を撮影することができ、また、１台の撮影装置で撮影した被写体の画像データを、複数の制御装置で表示させることを可能とするカメラシステムを提供することを目的とする。
【課題を解決するための手段】
【０００７】
本発明のかかる目的は、制御装置と、撮影部を各々有する複数の撮影装置と、  前記制御装置と前記複数の撮影装置を接続する接続手段とを備え、前記制御装置は、前記複数の撮影装置の各々を識別する撮影装置識別データを含む撮影処理コマンドを前記複数の撮影装置に同時に送信し、前記撮影処理コマンドを受信した各撮影装置は、前記撮影装置識別データが自己を示すデータであるか否かを判定し、自己を示すデータであった場合に、自己の前記撮影部を駆動し被写体を撮影し、撮影された被写体の画像データを前記制御装置に送信することを特徴とするカメラシステムによって達成される（請求項１に記載の発明）。
【０００８】
本発明によれば、１台の制御装置を用いて複数の撮影装置を操作し、被写体を撮影することができる。なお、各撮影装置に付与されている撮影装置識別データにより、制御装置は各撮影装置を識別し制御することが可能となる。
【０００９】
また、前記制御装置は、前記複数の撮影装置に同時に送信する撮影処理コマンドとして、さらに同期データを含み、前記撮影処理コマンドを受信した各撮影装置は、前記撮影装置識別データが自己を示すデータであるか否かを判定し、自己を示すデータであった場合に、前記同期データにより決定されるタイミングにより自己の前記撮影部を駆動する（請求項２に記載の発明）。
【００１０】
同期データにより、撮影装置で被写体を撮影するためのタイミングを制御することができる。また、複数の撮影装置をタイマーを用いたカメラ撮影のように使用することができる。
【００１１】
さらに、前記接続手段が、同一の周波数を用いた無線手段であるときに、前記複数の撮影装置のうち、一の撮影装置は、他の撮影装置が前記被写体の画像データを前記制御装置に送信中であるか否かを判定し、前記他の撮影装置が前記被写体の画像データを前記制御装置に送信中でなかった場合に、前記の一の撮影装置は、前記制御装置に前記被写体の画像データを送信するように構成されている（請求項３に記載の発明）。
【００１２】
同一の周波数を用いて各撮影装置が制御装置に被写体の画像データを送信するときに、各撮影装置が被写体の画像データを同時に送信すると、制御装置が被写体の画像データを正確に受信することができないおそれがある。従って、一の撮影装置が他の撮影装置の画像データの送信状況を確認して、画像データを送信することにより制御装置での画像データの受信を正確に行うことができる。
【００１３】
さらにまた、前記制御装置は、表示部を有し、前記撮影装置から送信された前記被写体の画像データを前記制御装置が受信したときに、前記表示部で前記被写体の画像データに対応する画像を表示する（請求項４に記載の発明）。
【００１４】
また、本発明のかかる目的は、複数の制御装置と、撮影部を有する撮影装置と、前記複数の制御装置と前記撮影装置を接続する接続手段とを備え、前記複数の制御装置は、撮影処理コマンドを前記撮影装置に送信し、前記撮影処理コマンドを受信した前記撮影装置は、前記撮影処理コマンドに基づき、前記撮影部を駆動し被写体を撮影し、撮影された前記被写体の画像データを前記制御装置に送信することを特徴とするカメラシステムにより達成される（請求項５に記載の発明）。
【００１５】
本発明によれば、１台の撮影装置で撮影した被写体の画像を、複数の制御装置で表示させることができる。
【００１６】
さらに、前記複数の制御装置は、各々表示部を有し、前記撮影装置から前記制御装置に送信された前記被写体の画像データに対応する画像を前記表示部に表示する（請求項６に記載の発明）。
【００１７】
さらにまた、前記撮影処理コマンドは、制御装置の各々を識別し、前記表示部で前記被写体の画像データに対応する画像を表示させる制御装置の制御装置識別データを含み、前記撮影装置は、前記制御装置識別データを前記被写体の画像データとともに前記複数の制御装置に送信し、前記制御装置識別データを受信した各制御装置は、前記制御装置識別データが自己を示すデータであるか否かを判定し、自己を示すデータであった場合に、前記被写体の画像データに対応する画像を自己の前記表示部に表示される（請求項７に記載の発明）。
【００１８】
これにより、複数の制御装置のうち所望の制御装置でのみ被写体の画像データに対応する画像を表示させることができる。
【００１９】
さらにまた、前記接続手段が、同一の周波数を用いた無線手段の場合に、前記撮影装置から送信された前記被写体の画像データを前記複数の制御装置で受信することができる（請求項８に記載の発明）。
【００２０】
また、前記接続手段として、無線手段又はインターネットによる接続手段を用いることができる（請求項９に記載の発明）。
【００２１】
さらに、前記撮影装置及び前記制御装置のいずれか一つが少なくとも前記被写体の画像データを記憶するためのメモリを有することにより、前記画像データを保存することができる（請求項１０に記載の発明）。
【００２２】
さらにまた、前記制御装置がシャッタを有する携帯可能なリモートコントローラとされ、前記シャッタが切られたときに、前記撮影処理コマンドが送信されるので、前記制御装置によって、前記撮影装置の遠隔操作を容易に行うことができる（請求項１１に記載の発明）。
【００２３】
さらに、本発明の目的は、表示部を有する制御装置と、撮影部を有する撮影装置と、前記制御装置と前記撮影装置を接続する接続手段とを備え、前記制御装置は、前記撮影処理コマンドを前記撮影装置に送信し、前記撮影処理コマンドを受信した前記撮影装置は、前記撮影処理コマンドに基づき、前記撮影部を駆動し被写体を撮影し、撮影された前記被写体の画像データを前記制御装置に送信し、送信された前記被写体の画像データを前記制御装置が受信し、前記被写体の画像データに対応する画像を前記表示部に表示することを特徴とするカメラシステムによって達成される（請求項１２に記載の発明）。
【００２４】
この場合、制御装置で撮影装置を遠隔操作できるような構成となっているために、制御装置でシャッタを切って、撮影装置で被写体を撮影し、制御装置で被写体の画像データに対応する画像を表示部で表示させることができる。
【００２５】
さらにまた、前記撮影装置と前記制御装置を一体化することにより、従来のデジタルカメラと同様に使用することができる（請求項１３に記載の発明）。
【００２６】
制御装置と撮影装置を一体化することにより、携帯可能なデジタルカメラとして用いることもできる。
【発明の効果】
【００２７】
本発明によれば、１台の制御装置を用いて複数の撮影装置を操作し、被写体を撮影することができ、また、１台の撮影装置で撮影した被写体の画像データを、複数の制御装置で表示させることできる。
【発明を実施するための最良の形態】
【００２８】
本発明に係るカメラシステムについて、好適な実施の形態を挙げ、添付の図面を参照しながら以下に説明する。
【００２９】
図１は、第１の実施形態に係るカメラシステムの概略構成図であり、図２は、図１に示す制御装置１２のブロック図である。図１に示されるように、カメラシステム１０は、制御装置１２と撮影装置４０を備え、制御装置１２と複数の撮影装置４０は、接続手段３０で接続されている。図２に示されるように、制御装置１２は、表示部１４、シャッタ１６、アンテナ１８、制御部２０、変調部２２、増幅部２４、復調部２６及び第１制御メモリ２８を備えている。
【００３０】
制御装置１２は、接続手段３０で接続されている撮影装置４０を遠隔操作するためのリモートコントローラとして用いられる。この制御装置１２の大きさは略手のひらに載るサイズであり、携帯が可能になっている。
【００３１】
第１の実施形態では、接続手段３０として無線が用いられている。接続手段３０として無線を用いる場合は、微弱無線、特定小電力、無線ＬＡＮ、ブルートゥース等その他の通常使用される無線方式を用いることができる。また、接続手段３０としては、無線に限られず、インターネットによって制御装置１２と撮影装置４０を接続してもよい。
【００３２】
表示部１４は、ＬＣＤ等の表示デバイスで構成され、撮影装置４０で撮影された被写体の画像データに対応する画像を表示するために用いられる。
【００３３】
制御部２０は、制御装置１２の全体を制御するものであり、ＣＰＵ等の演算装置、ＲＯＭ及びＲＡＭ等のメモリデバイス等を備えている。
【００３４】
シャッタ１６は、制御装置１２で被写体を撮影するための制御信号を発生するために用いられる。
【００３５】
シャッタ１６によって発生された制御信号が制御部２０に入力されると、制御部２０で後述する撮影処理コマンドが作成される。この撮影処理コマンドは、電波として送信することができる高周波信号（搬送波）に乗せる処理（変調）が変調部２２で行われ、変調された搬送波は増幅部２４で増幅された後、アンテナ１８から電波として放射される。
【００３６】
なお、撮影装置４０で撮影された後、制御装置１２へ送信される被写体の画像データは、アンテナ１８で受信され、増幅部２４で増幅された後、復調部２６で復調される。復調された被写体の画像データは、制御部２０を介して、第１制御メモリ２８に記憶された後、表示部１４で表示される。
【００３７】
図３は、図１に示す撮影装置４０のブロック図である。図３に示されるように、撮影装置４０は、アンテナ４２、撮影制御部４４、増幅部４６、復調部４８、撮影部５０、第１撮影メモリ５２、第２撮影メモリ５４及び変調部５６を備えている。
【００３８】
撮影装置４０は、被写体を撮影するためのカメラとして用いられ、接続手段３０で接続されている制御装置１２によって遠隔制御される。
【００３９】
撮影制御部４４は、撮影装置４０の全体を制御するものであり、制御部２０と同様にＣＰＵ等の演算装置、ＲＯＭ及びＲＡＭ等のメモリデバイス等を備えている。
【００４０】
図２に示されるように、制御装置１２から送信された撮影処理コマンドは、アンテナ４２で受信され、増幅部４６で増幅された後、復調部４８で復調される。復調された撮影処理コマンドは、撮影制御部４４に入力され、撮影部５０が駆動される。駆動した撮影部５０によって、被写体が撮影され、撮影された画像データは第１撮影メモリ５２に保存される。
【００４１】
撮影装置４０で撮影された画像データは、変調部５６で変調され、変調された搬送波は復調部４８で増幅された後、アンテナ４２から電波として放射される。第２撮影メモリ５４は、撮影装置４０を識別するための撮影装置識別データを記憶するために用いられる。
【００４２】
次に、第１の実施形態に係るカメラシステム１０の動作、すなわち、制御装置１２による撮影装置４０の操作について説明する。図４は、第１の実施形態に係るカメラシステム１０の動作を示すフローチャートである。撮影装置４０の操作に先立って、撮影装置４０（１）〜撮影装置４０（ｎ）が撮影の対象となる被写体の周りに配置される。ここでは、１０台の撮影装置４０を配置する場合を例に挙げる。
【００４３】
先ず、各撮影装置４０毎に異なる撮影装置識別データ（ＩＤ）として、例えば、数字を用いて１〜１０が割り振られる。各撮影装置４０の撮影装置識別符号は、撮影装置識別データとして各第２撮影メモリ５４に記憶される。
【００４４】
次に、ステップＳ１において、被写体を撮影する撮影装置４０の撮影装置識別データ及び各撮影装置４０の撮影部５０を駆動するタイミングを決定する同期データを含む撮影処理コマンドが、制御部２０において作成される。この同期データを各撮影装置４０毎に設定することにより、所望のタイミングで撮影部５０を駆動することができる。例えば、各撮影装置４０の同期データのタイミングを同じにすれば、同時に撮影部５０を駆動し、被写体を撮影することができる。
【００４５】
この場合、撮影装置識別データは、各撮影装置４０毎に割り振られている撮影装置識別データであってもよいし、全ての撮影装置４０を対象とする全撮影装置識別データであってもよい。なお、特定のグループに属する撮影装置のみを対象とするグループ識別データであってもよい。但し、全撮影装置識別データを使用する場合は、全撮影装置識別データを予め決めて、そのデータを撮影装置４０の第２撮影メモリ５４に各々記憶させておく必要がある。また、グループ識別データを使用する場合は、各撮影装置４０を所定のグループに分け、各グループに独自のグループ識別データを付与し、各撮影装置４０は、各々が属するグループのグループ識別データを各第２撮影メモリ５４に記憶させておく必要がある。さらに、本実施態様では、撮影装置識別データとして、各撮影装置４０の撮影装置識別符号を用いるものとする。
【００４６】
制御部２０は、以上のようにして作成した撮影処理コマンドを変調部２２に出力する。ステップＳ２において、変調部２２に入力された撮影処理コマンドは、電波として送信することができる高周波信号（搬送波）に乗せる処理（変調）が行われ、変調された搬送波は増幅部２４で増幅された後、アンテナ１８から各撮影装置４０に送信される。
【００４７】
ステップＳ３において、アンテナ１８から送信された撮影処理コマンドは、各撮影装置４０のアンテナ４２で受信された後、増幅部４６で増幅され復調部４８で復調された後、制御部２０に出力される。
【００４８】
ステップＳ４において、撮影制御部４４では、撮影処理コマンドに含まれる撮影装置識別データが第２撮影メモリ５４に記憶されている撮影装置識別符号と一致するか否か判定される。
【００４９】
ステップＳ５において、撮影装置識別データが撮影装置識別符号と一致した場合に、撮影処理コマンドに含まれる同期データに従ったタイミングで撮影部５０を駆動するための駆動信号が、撮影制御部４４から撮影部５０へ出力される。撮影装置識別データが撮影装置識別符号と一致しない場合には、各撮影装置４０は、撮影装置４０から次の撮影処理コマンドが送信されてくるのを待つことになる。
【００５０】
ステップＳ６において、駆動信号に撮影部５０が入力されると、撮影部５０によって被写体が撮影され、ステップＳ７において、撮影された被写体の画像データは、第１撮影メモリ５２に保存される。
【００５１】
ステップＳ８において、被写体の撮影が行われた撮影装置４０の撮影制御部４４では、画像データが第１撮影メモリ５２に保存された後、被写体の撮影が行われた他の撮影装置４０から制御装置１２に画像データが送信されている状態か否かが判断される。
【００５２】
ステップＳ９において、被写体の撮影が行われた他の撮影装置４０から制御装置１２へ画像データの送信が行われていないと、前記撮影制御部４４で判断された場合には、撮影装置４０から制御装置１２に画像データが送信される。一方、被写体の撮影が行われた他の撮影装置４０から制御装置１２へ画像データの送信が行われていると、前記撮影制御部４４で判断された場合には所定の時間経過後、再度、画像データの送信状況の確認が行われる。再度の画像データの送信状況の確認を行い、被写体の撮影が行われた撮影装置４０の撮影制御部４４で、被写体の撮影が行われた他の撮影装置４０から制御装置１２へ画像データの送信が行われていないと判断された場合に、撮影装置４０から制御装置１２に画像データが送信される。
【００５３】
接続手段３０として、無線による接続が用いられているときは、撮影装置４０から撮影装置４０への画像データの送信は、同一の周波数が用いられる場合がある。この場合は、複数の撮影装置４０から制御装置１２に同時に画像データが送信されると、制御装置１２で受信する際に混信して、正確に画像データが制御装置１２の表示部１４で表示されないおそれがある。この問題を防ぐために、ステップ８が行われる。従って、接続手段３０として異なる周波数を用いて、各撮影装置４０から制御装置１２へ無線で送信された場合には、ステップＳ８の動作は省略され、画像データが第１撮影メモリ５２に保存された後、撮影装置４０から制御装置１２に画像データが送信される。また、接続手段３０として、インターネットが用いられる場合にも同様に、ステップ８の動作は省略され、画像データが第１撮影メモリ５２に保存された後、撮影装置４０から制御装置１２に画像データが送信される。
【００５４】
ステップＳ１０において、撮影装置４０から制御装置１２へ送信された画像データは、制御装置１２で受信され、ステップＳ１１において、増幅部２４、復調部２６及び制御部２０を経て第１制御メモリ２８に保存される。ステップＳ１２において、第１制御メモリ２８に保存された画像データに対応する画像が表示部１４で表示される。
【００５５】
第１の実施形態に係るカメラシステムでは、１台の制御装置を用いて複数の撮影装置を操作し、被写体を撮影することができる。なお、各撮影装置に付与されている撮影装置識別データにより、制御装置は各撮影装置を識別し制御することが可能となる。また、同期データにより、撮影装置で被写体を撮影するためのタイミングを制御することができる。さらに、撮影装置が他の撮影装置の撮影データの送信状況を確認して、画像データを送信することにより制御装置での画像データの受信を正確に行うことができる。
【００５６】
次に、本発明の第２の実施形態を説明する。図５は、第２の実施形態に係るカメラシステムの概略構成図であり、図６は、図５に示す制御装置１２Ａのブロック図であり、図７は、図５に示す撮影装置４０Ａのブロック図である。
【００５７】
図５に示す第２の実施形態に係るカメラシステムは、複数の制御装置１２Ａと撮影装置４０Ａを備えている。図６に示す制御装置１２Ａは、図２に示す制御装置１２に対して第２制御メモリ６０をさらに備え、図７に示す撮影装置４０Ａは、図２に示す制御装置１２に対して第２撮影メモリ５４の代わりに第３撮影メモリ６２を備えている。
【００５８】
次に、第２の実施形態に係るカメラシステム１０Ａの動作、すなわち、制御装置１２Ａによる撮影装置４０Ａの操作について説明する。図８は、第２の実施形態に係るカメラシステム１０の動作を示すフローチャートである。撮影装置４０Ａの操作に先立って、制御装置１２（１）〜制御装置１２（ｎ）が撮影の対象となる被写体の周りに配置される。ここでは、１０台の制御装置１２を配置する場合を例に挙げる。
【００５９】
先ず、各制御装置１２Ａ毎に異なる制御装置識別符号として、例えば、識別符号として数字を用いて１〜１０が割り振られる。各制御装置１２Ａの制御装置識別符号は、各第２制御メモリ６０に記憶される。
【００６０】
次に、ステップＳ２１において、制御装置識別データと同期データを含む撮影処理コマンドが、制御部２０において作成される。なお、制御装置識別データは、撮影装置４０Ａで撮影された被写体の画像データに対応する画像を、表示部１４で表示を希望する制御装置１２Ａを識別するためのデータを意味する。また、同期データは、各撮影装置４０Ａの撮影部５０を駆動するタイミングについてのデータを意味する。
【００６１】
この場合、制御装置識別データは、各制御装置１２Ａ毎に振られている撮影装置識別符号であってもよいし、全ての制御装置１２Ａを対象とする全制御装置識別データであってもよい。なお、特定のグループに属する制御装置のみを対象とするグループ識別データであってもよい。但し、全制御装置識別データを使用する場合は、全制御装置識別データを予め決めて、そのデータを制御装置１２Ａの第２制御メモリ６０に各々記憶させておく必要がある。また、グループ識別データを使用する場合は、各制御装置１２Ａを所定のグループに分け、各グループに独自のグループ識別データを付与し、各制御装置１２Ａは、各々が属するグループのグループ識別データを各第２制御メモリ６０に記憶させておく必要がある。なお、本実施態様では、制御装置識別データとして、各制御装置１２Ａの撮影装置識別符号を用いるものとする。
【００６２】
ステップＳ２２において、制御部２０は、以上のようにして作成した撮影処理コマンドを変調部２２に出力する。増幅部２４に入力された撮影処理コマンドは、電波として送信することができる高周波信号（搬送波）に乗せる処理（変調）が行われ、変調された搬送波は増幅部２４で増幅された後、アンテナ１８から各撮影装置４０Ａに送信される。
【００６３】
ステップＳ２３において、アンテナ１８から送信された撮影処理コマンドは、各撮影装置４０Ａのアンテナ４２で受信され、増幅部４６で増幅されて復調部４８で復調された後、撮影制御部４４に出力される。
【００６４】
ステップＳ２４において、撮影制御部４４は、撮影処理コマンドに含まれる制御装置識別データを第３撮影メモリ６２に書き込むともに、撮影処理コマンドに含まれる同期データに従ったタイミングで撮影部５０を駆動するための駆動信号を撮影部５０に出力する。
【００６５】
ステップＳ２５において、駆動信号が撮影部５０に入力されると、撮影部５０によって被写体が撮影され、ステップＳ２６において、撮影された被写体の画像データは、第１撮影メモリ５２に保存される。
【００６６】
ステップＳ２７において、撮影制御部４４は、第１撮影メモリ５２に保存された画像データと第３撮影メモリ６２に書き込まれた制御装置識別データから表示処理データを作成する。ステップＳ２８において、作成された表示処理データは、撮影装置４０Ａから制御装置１２へ送信される。
【００６７】
ステップＳ２９において、送信された表示処理データ、制御装置１２で受信され、ステップＳ３０において、撮影制御部４４では、表示処理データに含まれる制御装置識別データが第２制御メモリ６０に記憶されている制御装置識別符号と一致するか否か判定される。
【００６８】
ステップＳ３１において、制御装置識別データが制御装置識別符号と一致した場合に、表示処理データに含まれる画像データが第１制御メモリ２８に保存される。ステップＳ３２において、制御装置識別データが制御装置識別符号と一致しない場合には、各制御装置１２Ａは、撮影装置４０Ａから次の表示処理データが、送信されてくるのを待つことになる。第１制御メモリ２８に保存された画像データに対応する画像が表示部１４で表示される。
【００６９】
第２の実施形態に係るカメラシステムでは、１台の撮影装置で撮影した被写体の画像を、複数の制御装置で表示させることができる。なお、各制御装置に付与されている制御装置識別データにより、複数の制御装置のうち所望の制御装置でのみ被写体の画像データに対応する画像を表示させることができる。
【００７０】
次に、本発明の第３の実施形態を説明する。図９は、第３の実施形態に係るカメラシステムの概略構成図である。
【００７１】
図９に示す第３の実施形態に係るカメラシステムは、図１に示すカメラシステムと同様に、制御装置１２と撮影装置４０を備えている。図９に示す制御装置１２、撮影装置４０は、図１に示す制御装置１２、図３に示す撮影装置４０と各々同様の構成である。
【００７２】
第３の実施形態に係るカメラシステムの動作を説明する。被写体を撮影するための制御信号をシャッタ１６が発生し、制御部２０へ出力し、前記制御信号に基づいて制御部２０では、撮影処理コマンドが作成される。前記撮影処理コマンドは、制御部２０から変調部２２へ出力され、変調部２２で変調され、増幅部２４で増幅された後、アンテナ１８から電波として放射される。
【００７３】
アンテナ１８から放射された撮影処理コマンドは、撮影装置４０のアンテナ４２で受信され、増幅部４６で増幅され、復調部４８で復調された後、撮影制御部４４に入力される。前記撮影処理コマンドに基づいて、撮影制御部４４から撮影部５０へ駆動信号が出力され、撮影部５０によって被写体が撮影される。撮影された被写体の画像データは、第１撮影メモリ５２に保存された後、撮影制御部４４を経て、復調部４８に入力され、復調部４８で復調され、増幅部４６で増幅された後、アンテナ４２から電波として放射される。
【００７４】
アンテナ４２から放射された画像データは、制御装置１２のアンテナ１８で受信され、復調部２６、変調部２２及び制御部２０を経て第１制御メモリ２８に保存された後、表示部１４で画像データに対応する画像が表示される。
【００７５】
第３の実施態様に係るカメラシステムでは、制御装置１２と撮影装置４０を接続手段３０で接続して、制御装置１２が撮影装置４０を遠隔操作できるような構成となっているために、制御装置１２でシャッタを切って、撮影装置４０で被写体を撮影し、制御装置１２で被写体の画像データに対応する画像を表示部１４で表示させることができる。
【００７６】
また、第１から第３の実施態様に係るカメラシステムでは、制御装置１２と撮影装置４０を図１０に示すように一体化することができる。
【００７７】
このように、制御装置１２と撮影装置４０を一体化することにより、携帯可能で利便性の高いカメラシステムを実現することができる。
【００７８】
また、この発明は、上述の実施の形態に限らず、この発明の要旨を逸脱することなく、種々の構成を採り得ることはもちろんである。
【００７９】
例えば、第１の実施形態に係るカメラシステムでは、制御装置が１台であるが、これに限定されず、制御装置が複数であってもよい。なお、第２の実施形態に係るカメラシステムでは、撮影装置が１台であるが、これに限定されず、撮影装置が複数であってもよい。また、制御装置と撮影装置を一体化することにより、携帯可能なデジタルカメラとして用いることもできる。
【図面の簡単な説明】
【００８０】
【図１】第１の実施形態に係るカメラシステムの概略構成図である。
【図２】図１に示す制御装置１２と撮影装置４０のブロック図である。
【図３】図１に示す撮影装置４０のブロック図である。
【図４】第１の実施形態に係るカメラシステム１０の動作を示すフローチャートである。
【図５】第２の実施形態に係るカメラシステムの概略構成図である。
【図６】図５に示す制御装置１２Ａのブロック図である。
【図７】図５に示す撮影装置４０Ａのブロック図である。
【図８】第２の実施形態に係るカメラシステム１０の動作を示すフローチャートである。
【図９】第３の実施形態に係るカメラシステムの概略構成図である。
【図１０】制御装置１２と撮影装置４０を一体化したカメラシステム外観図である。
【符号の説明】
【００８１】
１０、１０Ａ…カメラシステム    １２、１２Ａ…制御装置
１４…表示部                    １６…シャッタ
１８、４２…アンテナ            ２０…制御部
２２、５６…変調部              ２４、４６…増幅部
２６、４８…復調部              ２８…第１制御メモリ
３０…接続手段                  ４０、４０Ａ…撮影装置
４４…撮影制御部                ５０…撮影部
５２…第１撮影メモリ            ５４…第２撮影メモリ
６０…第２制御メモリ            ６２…第３撮影メモリ
【図１】
2005252568.tif 000003
【図２】
2005252568.tif 000004
【図３】
2005252568.tif 000005
【図４】
2005252568.tif 000006
【図５】
2005252568.tif 000007
【図６】
2005252568.tif 000008
【図７】
2005252568.tif 000009
【図８】
2005252568.tif 000010
【図９】
2005252568.tif 000011
【図１０】
2005252568.tif 000012